(57)【特許請求の範囲】
【請求項１】
透液性表面シートと不透液性裏面シートとの間に吸収体が介在されるとともに、周囲に吸収体の存在しないフラップ部が形成され、少なくとも前記吸収性物品の前側部分及び後側部分における前記フラップ部の外形が所定の曲率半径の凸状曲線部と所定の曲率半径の凹状曲線部との組合せからなる波状形状線とされる吸収性物品において、
前記波状形状線は、吸収性物品の幅方向中央部に中央凸状曲線部を有するとともに、その両側にそれぞれフラップ部の外形線に対する接線の向きが正負に連続的に変化するように凸状曲線部と凹状曲線部とが交互に配された波状の曲線とされているとともに、前記中央凸状曲線部の両側に位置する凸状曲線部及び凹状曲線部は吸収性物品の長手方向中心線を境に左右対称配置で形成され、
前記前側部分の中央凸状曲線部は、前記後側部分の中央凸状曲線部に対して相対的に大きな曲率半径及び弧長で形成されており、
前記透液性表面シートと不透液性裏面シートとの間に吸収体が介在された本体部分の非肌当接面には下着に対する固定のためにズレ止め粘着剤層が形成されるとともに、該ズレ止め粘着剤層は、前記各凸状曲線部に対応する幅方向位置のそれぞれに、吸収性物品の長手方向に沿って形成された複数条の帯状ズレ止め粘着剤層とされ、かつ各帯状ズレ止め粘着剤層は、前後端部と吸収性物品の外形線との吸収性物品の長手方向距離が１５mm以内になるよう前記凸状曲線部に近接させていることを特徴とする吸収性物品。
【請求項２】
前記各帯状ズレ止め粘着剤層は、前記各凸状曲線部に隣接する凹状曲線部の頂点部同士を繋いだ仮想線又は隣接する凹状曲線部の頂点部と凸状曲線部とナプキン側縁との交点部とを繋いだ仮想線が、前記帯状ズレ止め粘着剤層に交差するように各帯状ズレ止め粘着剤層の前後端部を前記凸状曲線部に近接させている請求項１記載の吸収性物品。
【請求項３】
前記帯状ズレ止め粘着剤層は、中間部で複数に分断された間欠線状に形成されている請求項１、２いずれかに記載の吸収性物品。
【請求項４】
前記帯状ズレ止め粘着剤層は体液排出部位で前後方向に分断され、前記体液排出部位よりも前側に位置する帯状ズレ止め粘着剤層は前記前側部分の波状形状線の各凸状曲線部に対応する幅方向位置のそれぞれに配置され、前記体液排出部位よりも後側に位置する帯状ズレ止め粘着剤層は前記後側部分の波状形状線の各凸状曲線部に対応する幅方向位置のそれぞれに配置されている請求項１〜３いずれかに記載の吸収性物品。
【請求項５】
前記帯状ズレ止め粘着剤層は、前記各凸状曲線部の弧長に比例させて幅寸法を設定してある請求項１〜４いずれかに記載の吸収性物品。
【請求項６】
前記帯状ズレ止め粘着剤層の前端部及び後端部は、前記凸状曲線部に沿った曲線形状とされる請求項１〜５いずれかに記載の吸収性物品。
【請求項７】
前記帯状ズレ止め粘着剤層の前端部及び後端部は矩形状とされ、この矩形状端部から吸収性物品の長手方向に隣接した位置に、前記凸状曲線部に沿った曲線形状部分を有するドット状のズレ止め粘着剤層を配置している請求項１〜５いずれかに記載の吸収性物品。
【発明の詳細な説明】
【技術分野】
【０００１】
本発明は、体の前側と後側で異なる体の形にフィットさせるとともに、装着状態でのズレやヨレを防止するとともに、前後部においてフラップのめくれを防止したズレ止め粘着剤パターンとした吸収性物品に関する。
【背景技術】
【０００２】
近年、下記特許文献１において、図１４に示されるように、透液性表面シート５１と不透液性裏面シート５２との間に吸収体５３が介在されるとともに、周囲に吸収体５３の存在しないフラップ部Ｆが形成された吸収性物品において、少なくとも前記吸収性物品５０の前側部分及び後側部分における前記フラップ部Ｆの外形が、該フラップ部Ｆの外形線に対する接線の向きを連続的に変化させた凸状曲線５４、５５と凹状曲線５６との組合せからなる波状形状線５７とされ、且つこれら前側部分及び後側部分において、前記吸収体５３の幅が漸次狭まる山状の傾斜線５３ａとされるとともに、この傾斜線５３ａに沿って前記波状の形状線５７が形成され、前記フラップ部Ｆの外形は、前記吸収性物品５０の中央先端部では相対的に大きな曲率半径の凸状曲線５４とされ、両側の前記傾斜線５３ａに沿って形成された前記波状の形状線部分５７では相対的に小さな曲率半径の凹状曲線５６と凸状曲線５５との組合せとしている吸収性物品５０が開示されている。この吸収性物品によれば、前後端部の製品外形を凹凸を組み合わせた形状とすることにより、フラップ部にシワやヨレが発生しづらくなるなどの効果を有する。
【０００３】
一方で、不透液性裏面シートの外面に塗布されるズレ止め粘着剤層は、塗布パターンが製品外形に沿ってはおらず、吸収性物品の長手方向に沿う複数条のズレ止め粘着剤層とされているため、前記波状外形線の特に凸状曲線部分にめくれや折れが生じたりすることがあった。
【０００４】
このような問題に対して、下記特許文献２では、図１５に示されるように、裏面シート６１の非肌当接面に設けた粘着部６２ａ〜６２ｄを介して下着に取り付けられる縦長の吸収性物品６０であって、前記粘着部６２ａ〜６２ｄは、前記吸収性物品６０の長手方向前後端部及び長手方向両側部それぞれに設けられており、前記吸収性物品６０の中央部から前記吸収性物品６０の長手方向前方の両角及び後方の両角に向かって延びる所定幅の帯域及び該中央部は、前記粘着部が存在しない非粘着部６３となっており、前記粘着部６２ａ〜６２ｄそれぞれの外縁は、前記吸収性物品６０の外縁から１０ｍｍ以内であって、該外縁に沿って存在するようにした吸収性物品が開示されている。この吸収性物品の場合は、粘着部６２ａ〜６２ｄの外縁が吸収性物品６０の外縁に近接するとともに、外縁に沿って形成されており、めくれ防止に大きく寄与し得るようになる。
【先行技術文献】
【特許文献】
【０００５】
【特許文献１】特許第４５２２４４４号公報
【特許文献２】特開２０１０−１１５３３７号公報
【発明の概要】
【発明が解決しようとする課題】
【０００６】
しかしながら、上記特許文献１に係る吸収性物品の場合、装着者の身体は体液排出部位を境に前側部分と後側部分とでは、大きく体型が異なるにも拘わらず、これを考慮せず、前部の波状形状線と後部の波状形状線とをほぼ同じ形状で形成していたため、フィット性や装着感が十分でないなどの問題があった。
【０００７】
また、上記特許文献２に係るズレ止め粘着剤パターンの場合は、裏面シートの大部分の面積をズレ止め粘着剤によってショーツに粘着させることになるため、そのまま特許文献１に係る吸収性物品の適用したのでは、吸収性物品が体の動きに拘束され装着時に違和感を感じるようになる。
【０００８】
そこで本発明の課題は、少なくとも前記吸収性物品の前側部分及び後側部分におけるフラップ部の外形が凸状曲線部と凹状曲線部との組合せからなる波状形状線とされる吸収性物品において、体の前側と後側とで異なる体の体型に沿うとともに、体の動きに追従してフィットし易くするとともに、体の動きに追従させることで装着状態での違和感を軽減でき、前側部分及び後側部分のフラップ部におけるめくれや折れを無くすことが可能なズレ止め粘着剤層パターンとした吸収性物品を提供することにある。
【課題を解決するための手段】
【０００９】
前記課題を解決するために請求項１に係る本発明として、透液性表面シートと不透液性裏面シートとの間に吸収体が介在されるとともに、周囲に吸収体の存在しないフラップ部が形成され、少なくとも前記吸収性物品の前側部分及び後側部分における前記フラップ部の外形が所定の曲率半径の凸状曲線部と所定の曲率半径の凹状曲線部との組合せからなる波状形状線とされる吸収性物品において、
前記波状形状線は、吸収性物品の幅方向中央部に中央凸状曲線部を有するとともに、その両側にそれぞれフラップ部の外形線に対する接線の向きが正負に連続的に変化するように凸状曲線部と凹状曲線部とが交互に配された波状の曲線とされているとともに、前記中央凸状曲線部の両側に位置する凸状曲線部及び凹状曲線部は吸収性物品の長手方向中心線を境に左右対称配置で形成され、
前記前側部分の中央凸状曲線部は、前記後側部分の中央凸状曲線部に対して相対的に大きな曲率半径及び弧長で形成されており、
前記透液性表面シートと不透液性裏面シートとの間に吸収体が介在された本体部分の非肌当接面には下着に対する固定のためにズレ止め粘着剤層が形成されるとともに、該ズレ止め粘着剤層は、前記各凸状曲線部に対応する幅方向位置のそれぞれに、吸収性物品の長手方向に沿って形成された複数条の帯状ズレ止め粘着剤層とされ、かつ各帯状ズレ止め粘着剤層は、前後端部と吸収性物品の外形線との吸収性物品の長手方向距離が１５mm以内になるよう前記凸状曲線部に近接させていることを特徴とする吸収性物品が提供される。
【００１０】
上記請求項１記載の発明では、前記波状形状線は、吸収性物品の幅方向中央部に中央凸状曲線部を有するとともに、その両側にそれぞれフラップ部の外形線に対する接線の向きが正負に連続的に変化するように凸状曲線部と凹状曲線部とが交互に配された波状の曲線とされているとともに、前記中央凸状曲線部の両側に位置する凸状曲線部及び凹状曲線部は吸収性物品の長手方向中心線を境に左右対称配置で形成されており、前記前側部分の中央凸状曲線部は、前記後側部分の中央凸状曲線部に対して相対的に大きな曲率半径及び弧長で形成されている。
【００１１】
従って、前記前側部分では相対的に大きな中央凸状曲線部としてあるため、恥骨への当りが柔らかくなるとともに、恥骨側に折れて感じる違和感が軽減できるようになる。一方、前記後側部分では相対的に小さな中央凸状曲線部としてあるため、お尻の谷間に食い込み易くなる。以上より、体の体型に合わせて前後部の波状形状線を変えた本吸収性物品の場合は、体の体型に沿うとともに、体の動きに追従し易くなる。また、装着時の違和感を軽減することが可能となる。
【００１２】
また、本本発明では、前記透液性表面シートと不透液性裏面シートとの間に吸収体が介在された本体部分の非肌当接面には下着に対する固定のためにズレ止め粘着剤層が形成されるとともに、該ズレ止め粘着剤層は、前記各凸状曲線部に対応する幅方向位置のぞれぞれに吸収性物品の長手方向に沿って形成された複数条の帯状ズレ止め粘着剤層とされる。そして、かつ各帯状ズレ止め粘着剤層は、前後端部と吸収性物品の外形線との吸収性物品の長手方向距離が１５mm以内になるよう前記凸状曲線部に近接させている。
【００１３】
従って、前記ズレ止め粘着剤層を幅方向に間隔を空けた帯状のズレ止め粘着剤層とすることで、吸収性物品が体の動きに拘束されずに体の動きに追従させることで装着状態時の違和感を軽減できるようになる。また、各帯状ズレ止め粘着剤層の前後端部は前記凸状曲線部に近接させることで、前側部分及び後側部分における凸状曲線部のめくれや折れを防止できるようになる。
【００１４】
請求項２に係る本発明として、前記各帯状ズレ止め粘着剤層は、前記各凸状曲線部に隣接する凹状曲線部の頂点部同士を繋いだ仮想線又は隣接する凹状曲線部の頂点部と凸状曲線部とナプキン側縁との交点部とを繋いだ仮想線が、前記帯状ズレ止め粘着剤層に交差するように各帯状ズレ止め粘着剤層の前後端部を前記凸状曲線部に近接させている請求項１記載の吸収性物品が提供される。
【００１５】
上記請求項２記載の発明は、前記各凸状曲線部に隣接する凹状曲線部の頂点部同士を繋いだ仮想線又は隣接する凹状曲線部の頂点部と凸状曲線部とナプキン側縁との交点部とを繋いだ仮想線が、前記帯状ズレ止め粘着剤層に交差するように各帯状ズレ止め粘着剤層の前後端部を前記凸状曲線部に近接させるようにしている。すなわち、帯状ズレ止め粘着剤層の端部を凸状曲線部内に侵入させるように近接させることで、凸状曲線部でめくれや折れを確実に防止することが可能となる。
【００１６】
請求項３に係る本発明として、前記帯状ズレ止め粘着剤層は、中間部で複数に分断された間欠線状に形成されている請求項１、２いずれかに記載の吸収性物品が提供される。
【００１７】
上記請求項３記載の発明は、前記帯状ズレ止め粘着剤層を中間部で複数に分断された間欠線状に形成するようにしたものである。間欠線状に分断することで、更に体の動きに拘束され難くなるとともに、通気性を維持することが可能となる。
【００１８】
請求項４に係る本発明として、前記帯状ズレ止め粘着剤層は体液排出部位で前後方向に分断され、前記体液排出部位よりも前側に位置する帯状ズレ止め粘着剤層は前記前側部分の波状形状線の各凸状曲線部に対応する幅方向位置のそれぞれに配置され、前記体液排出部位よりも後側に位置する帯状ズレ止め粘着剤層は前記後側部分の波状形状線の各凸状曲線部に対応する幅方向位置のそれぞれに配置されている請求項１〜３いずれかに記載の吸収性物品が提供される。
【００１９】
上記請求項４記載の発明は、吸収性物品の前側部分に形成された波状形状線と後側部分に形成された波状形状線との間で、側部の凸状曲線部の幅方向位置が異なっている本発明の場合には、一方（前側部分又は後側部分）の凸状曲線部に合わせて帯状ズレ止め粘着剤層を配置すると、他方（後側部分又は前側部分）の凸状曲線部との位置が微妙にずれることになるため、前記帯状ズレ止め粘着剤層を体液排出部位で前後方向に分断し、前記体液排出部位よりも前側に位置する帯状ズレ止め粘着剤層は前記前側部分の波状形状線の凸状曲線部に対応する幅方向位置のぞれぞれに配置し、前記体液排出部位よりも後側に位置する帯状ズレ止め粘着剤層は前記後側部分の波状形状線の凸状曲線部に対応する幅方向位置のそれぞれに配置するようにしたものである。従って、前後部それぞれに配置された各帯状ズレ止め粘着剤層が各凸状曲線部に対応して配置されるようになり、凸状曲線部のめくれや折れを確実に防止できるようになる。
【００２０】
請求項５に係る本発明として、前記帯状ズレ止め粘着剤層は、前記各凸状曲線部の弧長に比例させて幅寸法を設定してある請求項１〜４いずれかに記載の吸収性物品が提供される。
【００２１】
上記請求項５記載の発明では、前記帯状ズレ止め粘着剤層は、前記各凸状曲線部の弧長に比例させて幅寸法を設定するものである。すなわち、各凸状曲線部の大きさに比例した帯状ズレ止め粘着剤層の幅とすることによりめくれや折れを確実に防止できるようになる。
【００２２】
請求項６に係る本発明として、前記帯状ズレ止め粘着剤層の前端部及び後端部は、前記凸状曲線部に沿った曲線形状とされる請求項１〜５いずれかに記載の吸収性物品が提供される。
【００２３】
上記請求項６記載の発明は、帯状ズレ止め粘着剤層の両端部を凸状曲線部に沿った形状とすることにより、より効果的に凸状曲線部のめくれや折れを防止できるようになる。
【００２４】
請求項７に係る本発明として、前記帯状ズレ止め粘着剤層の前端部及び後端部は矩形状とされ、この矩形状端部から吸収性物品の長手方向に隣接した位置に、前記凸状曲線部に沿った曲線形状部分を有するドット状のズレ止め粘着剤層を配置している請求項１〜５いずれかに記載の吸収性物品が提供される。
【００２５】
上記請求項７記載の発明は、前記帯状ズレ止め粘着剤層の前端部及び後端部は矩形状としたままで、矩形状端部から吸収性物品の長手方向に隣接した位置に、前記凸状曲線部に沿った曲線形状部分を有するドット状のズレ止め粘着剤層を配置することにより、ズレ止め粘着剤層の端部を凸状曲線部に沿ったパターンとしたものである。
【発明の効果】
【００２６】
以上詳説のとおり、本発明によれば、体の前側と後側とで異なる体の体型に沿うとともに、体の動きに追従してフィットし易くなるとともに、装着感を良好とすることが可能となる。
【００２７】
また、体の動きに追従させることで装着状態での違和感を軽減できるとともに、前側部分及び後側部分のフラップ部におけるめくれや折れを無くすことが可能となる。
【図面の簡単な説明】
【００２８】
【図１】本発明に係る生理用ナプキン例の一部破断展開図である。
【図２】その裏面図である。
【図３】図１のIII−III線矢視図である。
【図４】生理用ナプキン１に対する脚の位置を示すショーツ展開図である。
【図５】図４の生理用ナプキン１の前側部分の拡大図である。
【図６】ショーツの動きに伴うシワの方向を説明するショーツ展開図である。
【図７】図６の生理用ナプキン１の前側部分の拡大図である。
【図８】ズレ止め粘着剤層８を示す裏面図である。
【図９】ズレ止め粘着剤層８の他例（その１）を示す裏面図である。
【図１０】ズレ止め粘着剤層８の他例（その２）を示す裏面図である。
【図１１】ズレ止め粘着剤層８の他例（その３）を示す裏面図である。
【図１２】ズレ止め粘着剤層８の他例（その４）を示す裏面図である。
【図１３】ズレ止め粘着剤層８の他例（その５）を示す裏面図である。
【図１４】特許文献１に係る生理用ナプキンを示す平面図である。
【図１５】特許文献２に係る従来のパンティライナーを示す裏面図である。
【発明を実施するための形態】
【００２９】
以下、本発明の実施の形態について図面を参照しながら詳述する。
【００３０】
〔生理用ナプキン１の構造〕
前記生理用ナプキン１は、図１に示されるように、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙５と、表面両側部にそれぞれ長手方向に沿って形成されたサイド不織布７，７とから構成されている。前記吸収体４の周囲において、その上下端縁部では、前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と前記サイド不織布７とがホットメルトなどの接着剤やヒートシール等の接着手段によって接合され、外周に吸収体４の存在しないフラップ部Ｆが形成されている。
【００３１】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。特に本発明では、後段で詳述するフラップ部ＦとショーツＳとの一体性を実現するために、不透液性裏面シート２としては、フィルムなどの柔軟性の高い素材を用いることが好ましい。
【００３２】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００３３】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。特に本発明では、後段で詳述するように、ナプキン装着時の違和感を低減することを目的の一つとしているため、吸収体４の厚みは、約０．５〜５mmの範囲内とすることが好ましく、吸収体４の製造方法は、柔軟性に富むように積繊パルプ、エアレイド吸収体とすることが好ましい。なお、図示しないが、吸収体４は、排血口対応部が膨出した中高構造としても良い。
【００３４】
一方、本生理用ナプキン１の表面がわ両側部にはそれぞれ、長手方向に沿ってかつナプキン１のほぼ全長に亘ってサイド不織布７，７が設けられ、このサイド不織布７，７の一部が側方に延在されるとともに、同じく側方に延在された不透液性裏面シート２の一部とによりウイング状フラップＷ、Ｗが形成されている。
【００３５】
前記サイド不織布７としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００３６】
本発明では特に、生理用ナプキン１の少なくとも前側部分及び後側部分におけるフラップ部Ｆの外形が、該フラップ部Ｆの外形線に対する接線の向きを連続的に変化させた凸状曲線部１１，１３と凹状曲線部１２の組合せからなる波状形状線１０とされ、ナプキン１の前側部分及び後側部分において、吸収体の形状は、両側の漸次幅が狭まる直線状の傾斜線４ａ、４ａと、中央部においてこれら傾斜線４ａ、４ａ同士を結合する円弧状線４ｂとにより画成されるとともに、これら傾斜線４ａ、４ａ及び円弧状線４ｂに沿って前記波状形状線１０が形成されている。
【００３７】
更に詳細には図５に示されるように、前記生理用ナプキン１の前側部分及び後側部分において、前記フラップ部Ｆの外形は、ナプキン１の幅方向中央部（中央先端部）では相対的に大きな曲率半径の中央凸状曲線部１１とされ、両側の前記傾斜線４ａに沿って形成された前記波状形状線１０は、吸収体４の傾斜線４ａと平行する直線に対してフラップ部Ｆの外形線に対する接線の向きが正負に連続的に変化するように、凸状曲線部１３と凹状曲線部１２とが交互に配された波状の曲線となっている。前記中央凸状曲線部１１の両側に位置する前記凸状曲線部１３及び凹状曲線部１２は、ナプキン長手方向中心線を境に左右対称配置で形成されている。
【００３８】
この場合、中央先端部に配置された中央凸状曲線部１１は、半径２０〜３０mmの相対的に大きな曲率半径を有する曲線とし、両側の前記傾斜線４ａに沿って形成された前記波状形状線１０部分は、半径１０〜１５mmの相対的に小さな曲率半径の凹状曲線部１２と凸状曲線部１３との組合せとするのが望ましい。
【００３９】
本生理用ナプキン１では特に、図２に示されるように、前記前側部分の中央凸状曲線部１１は、前記後側部分の中央凸状曲線部１１に対して相対的に大きな曲率半径及び弧長で形成されている。すなわち、曲率半径Ｒf＞曲率半径Ｒb、弧長Ｌf＞弧長Ｌbの関係にある。これら曲率半径比及び弧長比は、１．１以上３．０以下、好ましくは２．０以上２．５以下とするのが望ましい。特に、曲率半径比及び弧長比を２．０以上２．５以下とした場合は、平面視で見栄えのバランスが良くなるとともに、フィット性を向上させることができる。従って、本生理用ナプキン１の前側部分では相対的に大きな中央凸状曲線部１１としてあるため、恥骨への当りが柔らかくなるとともに、恥骨側に折れて感じる違和感が軽減できるようになる。一方、ナプキン１の後側部分では相対的に小さな中央凸状曲線部１１としてあるため、お尻の谷間に食い込み易くなる。
【００４０】
以上より、体の体型に合わせて前後部の波状形状線を変えた本生理用ナプキン１の場合は、体の体型に沿うとともに、体の動きに追従し易くなる。また、装着時の違和感を軽減することが可能となる。
【００４１】
図４に示されるように、例えば着座時には、ショーツＳに対して両脚がＬＦ、ＬＦの位置となる。この場合、フラップ部Ｆの前側部分の両側には、脚の内側部分から押圧力がかかる。ところが、本生理用ナプキン１では、前側部分及び後側部分に前記波状形状線１０が形成されているため、両側部分のフラップ部外形線に作用する押圧力が、波状形状線の凹状曲線部１２と中央凸状曲線部１１，凸状曲線部１３によって漸次的に作用するようになるとともに（力の作用箇所が間欠的となる。）、曲線によって力が逸らされることによって、フラップ部Ｆにシワを発生させない。また、仮にシワが生じても凸状曲線部分で収まり、内側部分まで伝播させないため、シワがフラップ部の内方にまで進展することを防止できる。
【００４２】
また、着座時に、脚がＬＦ、ＬＦの位置となるため、ショーツＳ自体には脚周りに沿って伸び縮みが生じ、このショーツＳの伸縮によって、ナプキン１にも摩擦によって圧縮力又は引張力が作用するようになるが、波状形状線１０の凹状曲線部１２と中央凸状曲線部１１，凸状曲線部１３によって漸次的に作用させるようになるとともに、曲線によって力が逸らされることによって、フラップ部Ｆにシワを発生しづらくする。
【００４３】
さらに、図５に示されるように、本生理用ナプキン１では、前側部分及び後側部分において、フラップ部Ｆは、生理用ナプキン１の中央先端部では吸収体４端縁から外形線までのフラップ幅Ｄ１を相対的に大きく形成し、両側の前記傾斜線４ａに沿って形成された波状形状線１０の形成部分では吸収体４端縁から外形線までのフラップ幅Ｄ２を相対的に小さく形成している。これは、着座時や歩行時などにおいても脚にかからない生理用ナプキン１の中央先端部では、体液の前漏れに対応できるようにし、脚の付け根に当たる波状形状線１０が形成された部分では、フラップ部Ｆにシワやヨレが発生しにくい構造としたものである。
【００４４】
一方、歩行時などにおいて、脚を前後に動かした場合、脚の動きに伴ってショーツＳも伸び縮みして、このときショーツＳには脚の動きの方向と直交する方向にシワがよる。具体的には、図６、図７に示されるように、歩行時の脚の動きに伴ってショーツＳが伸び縮みする方向は、ナプキン１の長手中心線に対して約１９°〜４０°、平均して約３６°の角度であることが発明者等の観察結果から明らかとされている。このとき、シワはショーツＳの動きに直交する方向に沿って発生し易くなるが、本生理用ナプキン１では、前側部分及び後側部分に前記波状形状線１０が形成されているため、このショーツＳの動き方向のシワを発生させる力を漸次的に作用させるか、逸らすようにするためシワの発生を防止することができる。また、中央凸状曲線部１１と、凸状曲線部１３及び凹状曲線部１２とは、外形線に対する接線の向きを連続的に変化させてあるため、ある程度の幅内で作用する様々な角度の力に対し対応することができる。
【００４５】
なお、前記波状形状線１０は、シワを発生させる力を漸次的に作用させたり、逸らすように作用しなければならないため、外形線に対する接線が不連続となるようなギザ状の曲線は除かれる。
【００４６】
〔他の形態例〕
(1)上記形態例では、側方にウイング状フラップＷ、Ｗが形成された生理用ナプキン１としていたが、ウイング状フラップＷ、Ｗを有さないものについても同様に適用できる。
【００４７】
〔ズレ止め粘着剤層８〕
図８に示されるように、前記透液性表面シート３と不透液性裏面シート２との間に吸収体４が介在された本体部分の非肌当接面には、下着に対する固定のために適宜の塗布パターンによって複数条の、図示例では５条のズレ止め粘着剤層８が形成されているとともに、これらズレ止め粘着剤層８が図示されない本体用剥離材によって覆われている。また、前記ウイング状フラップＷ、Ｗの不透液性裏面シート２側の面には、ウイングズレ止め粘着剤層９が形成されるとともに、これらウイングズレ止め粘着剤層９，９が図示されないウイング用剥離材によって覆われている。前記剥離材は、本体用剥離材と横断方向に配置されたウイング用剥離材とを交差部で接合し、１回の剥離手間で剥離材を撤去できるようにするのが望ましく、前記ウイング状フラップＷ、Ｗは、個装状態では透液性表面シート３側に折り畳む、所謂腹折りとしても良いし、不透液性裏面シート２側に折り畳む、所謂背折りとすることでもよい。また、ウイングズレ止め粘着剤層９，９を覆う剥離材として１枚の剥離材ではなく、左右に分離させてもよい。
【００４８】
前記剥離材としては、ズレ止め粘着剤層８，９に対する当接面に対し、例えばシリコーン系樹脂、フッ素系樹脂、または四フッ化エチレン系樹脂などの離型処理液を塗工するかスプレー塗布し離型処理した紙またはプラスチックシートを用いることができる。
【００４９】
前記ズレ止め粘着剤層８、９を形成する粘着剤としては、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン−スチレンブロック共重合体、スチレン−イソブチレン−スチレンブロック共重合体、スチレン−ブタジエン−スチレンブロック共重合体等が挙げられるが、これらのうち１種のみを使用しても、二種以上のポリマーブレンドであってもよい。この中でも熱安定性が良好であるという点で、スチレン−ブタジエン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフレシル、フタル酸ジブチル、フタル酸ジオクチル等のモノマー可塑剤の他、ビニル重合体やポリエステルのようなポリマー可塑剤が挙げられる。
【００５０】
前記ズレ止め粘着剤層８は、前記中央凸状曲線部１１，凸状曲線部１３…に対応する位置に生理用ナプキン１の長手方向に沿って形成された複数条の帯状ズレ止め粘着剤層８Ａ〜８Ｃとされ、各帯状ズレ止め粘着剤層８Ａ〜８Ｃの前後端部は前記中央凸状曲線部１１，凸状曲線部１３に近接している。図示例では、中央凸状曲線部１１に対応する位置に帯状ズレ止め粘着剤層８Ａが形成され、左右の凸状曲線部１３、１３に対応する位置に帯状ズレ止め粘着剤層８Ｂ、８Ｃが形成され、計５本の帯状ズレ止め粘着剤層が形成されている。
【００５１】
各帯状ズレ止め粘着剤層８Ａ〜８Ｃの前後端部と生理用ナプキン１の外形線との長手方向距離Ｓは、好ましくは１５mm以内、より好ましくは１０mm以内になるように中央凸状曲線部１１，凸状曲線部１３に近接させるのが望ましい。
【００５２】
前記帯状ズレ止め粘着剤層８Ａ〜８Ｃの生理用ナプキン１の外形線に対する近接程度は、図９に示されるように、前記中央凸状曲線部１１及び内側に位置する凸状曲線部１３は、隣接する凹状曲線部１２の頂点部同士を繋いだ仮想線（Ｌ１、Ｌ２）また外側に位置する凸状曲線部１３は、隣接する凹状曲線部１２の頂点部と凸状曲線部１３とナプキン側縁との交点部とを繋いだ仮想線（Ｌ３）が、前記帯状ズレ止め粘着剤層８Ａ〜８Ｃに交差するように各帯状ズレ止め粘着剤層８Ａ〜８Ｃの前後端部を前記中央凸状曲線部１１，凸状曲線部１３に近接させるようにするのが更に望ましい。換言すれば、中央凸状曲線部１１，凸状曲線部１３の領域内に帯状ズレ止め粘着剤層８Ａ〜８Ｃの端部を侵入させる程度に近接させるようにする。このように近接させれば、前記中央凸状曲線部１１，凸状曲線部１３のめくれや折れは格段に防止できるようになる。
【００５３】
前記帯状ズレ止め粘着剤層８Ａ〜８Ｃは、前後方向についても体の動きに拘束されないようにするとともに、通気性を損なわないようにするために、図１０に示されるように、前記帯状ズレ止め粘着剤層８Ａ〜８Ｃを、中間部で複数に分断された間欠線状に形成するようにしてもよい。
【００５４】
ところで、本生理用ナプキン１の場合、前記前側部分の中央凸状曲線部１１は、前記後側部分の中央凸状曲線部１１に対して相対的に大きな曲率半径及び弧長で形成されているため、前側部分に形成された波状形状線１０と後側部分に形成された波状形状線１０との間で、凸状曲線部１３、１３の位置が幅方向に異なることになる。この場合、一方（前側部分又は後側部分）の凸状曲線部１３に合わせて帯状ズレ止め粘着剤層８Ａ〜８Ｃを配置すると、他方（後側部分又は前側部分）の凸状曲線部１３との位置が微妙にずれることになるため、図１１に示されるように、帯状ズレ止め粘着剤層８Ａ〜８Ｃを体液排出部位Ｈで前後方向に分断し、前記体液排出部位Ｈよりも前側に位置する帯状ズレ止め粘着剤層８Ａ〜８Ｃは前記前側部分の波状形状線１０の凸状曲線部１３に対応する幅方向位置のそれぞれに配置し、前記体液排出部位Ｈよりも後側に位置する帯状ズレ止め粘着剤層８Ａ〜８Ｃは前記後側部分の波状形状線１０の凸状曲線部１３に対応する幅方向位置のそれぞれに配置するようにするのが望ましい。このようなズレ止め粘着剤層パターンとすることによって、前後部それぞれに配置された各帯状ズレ止め粘着剤層８Ｂ、８Ｃが各凸状曲線部１３に対応して配置されるようになり、各凸状曲線部１３部分のめくれや折れを確実に防止できるようになる。
【００５５】
更に、前記帯状ズレ止め粘着剤層８Ａ〜８Ｃの前端部及び後端部は、前記中央凸状曲線部１１，凸状曲線部１３に沿ったような曲線形状とすると、中央凸状曲線部１１，凸状曲線部１３のめくれや折れの防止効果が高まるようになる。図１２に示される例は、各帯状ズレ止め粘着剤層８Ａ〜８Ｃの前端部及び後端部の形状を前記中央凸状曲線部１１，凸状曲線部１３に沿った形状にした例である。図１３に示される例は、前記帯状ズレ止め粘着剤層８Ａ〜８Ｃの前端部及び後端部は矩形状のままとし、この矩形状端部から生理用ナプキン１の長手方向に隣接した位置に、前記中央凸状曲線部１１，凸状曲線部１３に沿った曲線形状部分を有するドット状のズレ止め粘着剤層８ａ〜８ｃを配置するようにした例である。
【００５６】
更に、前記帯状ズレ止め粘着剤層８Ａ〜８Ｃは、図１３に示されるように、対応する中央凸状曲線部１１，凸状曲線部１３の大きさ（弧長及び／又は曲率半径により判断）に合わせて幅寸法を異ならせるようにしてもよい。すなわち、中央凸状曲線部１１は脇部の凸状曲線部１３より大きいため、相対的に大きな幅寸法で帯状ズレ止め粘着剤層８Ａを形成し、その両側にある凸状曲線部１３、１３は小さいため相対的に小さな幅寸法で帯状ズレ止め粘着剤層８Ｂ、８Ｃを形成するようにしてもよい。
【符号の説明】
【００５７】
１…生理用ナプキン、２…不透液性裏面シート、３…透液性表面シート、４…吸収体、５…クレープ紙、７…サイド不織布、８Ａ〜８Ｃ…帯状ズレ止め粘着剤層、８ａ〜８ｃ…ドット状のズレ止め粘着剤層、１０…波状形状線、１１…中央凸状曲線部、１２…凹状曲線部、１３…凸状曲線部
【図１】
0005876243.tif 000002
【図２】
0005876243.tif 000003
【図３】
0005876243.tif 000004
【図４】
0005876243.tif 000005
【図５】
0005876243.tif 000006
【図６】
0005876243.tif 000007
【図７】
0005876243.tif 000008
【図８】
0005876243.tif 000009
【図９】
0005876243.tif 000010
【図１０】
0005876243.tif 000011
【図１１】
0005876243.tif 000012
【図１２】
0005876243.tif 000013
【図１３】
0005876243.tif 000014
【図１４】
0005876243.tif 000015
【図１５】
0005876243.tif 000016